(57)【要約】【課題】水平方向回転自在な形態として、商品のピーアール効果の向上と店内の雰囲気を向上させ、更に客が水平方向に回して自分の取り出し易い位置に収納トレーの商品取り出し口を向けることができるようにする。【解決手段】陳列体２を、側面の開口部に透明な蓋７、７を取り付けた、平面四角形の箱状のケース３と、前記ケース３内に複数段になるように且つ上段にあるものと下段にあるものとの向きが直交するようにして嵌め込まれる複数の収納トレー８、８とをもって構成する。収納トレー８、８の夫々は、その内部が複数の列に商品を並べて収納することができるようになされていると共に、夫々の列には前後方向にスライド自在とし且つばね力をもって前方に移動性向が附与された押圧板１１、１１を備える。前記陳列体２を、台板１４と回転自在な回転軸とからなる保持手段１３をもって水平方向回転自在に保持する。【選択図】図１
0003125280.tif 000002
【実用新案登録請求の範囲】
【請求項１】
側面の開口部に透明な蓋を開閉自在に取り付けた、平面四角形の箱状のケースと、前記ケース内に複数段になるように且つ上段にあるものと下段にあるものとの向きが直交するようにして嵌め込まれた、展示品を収納する複数の透明な収納トレーとからなり、且つ夫々の収納トレーの内部は、複数の列に商品を並べて収納することができるようになされていると共に、夫々の列に前後方向にスライド自在とし且つばね力をもって前方に移動性向が附与された押圧板を備え、該押圧板をもって収納トレー内に整列された個々の商品を後方から前方に押し出すようにしてなる陳列体と、該陳列体を水平方向回転自在に保持する手段とからなる商品陳列具。
【請求項２】
陳列体における収納トレーが、長さ方向の中央部で分断し、収納した商品を押圧板をもって反対方向に押し出すようになした収納トレーである請求項１記載の商品陳列具。
【請求項３】
陳列体における収納トレーが、側部に所定個数の商品を一組として包装したものを陳列するための受け枠を一体的に張り出した収納トレーである請求項１又は２記載の陳列具。
【考案の詳細な説明】
【技術分野】
【０００１】
本考案はセルフサービス型の小売店等において用いるに適した商品陳列具に関するものである。
【背景技術】
【０００２】
セルフサービス型の小売店等における煙草の販売は、箱状の透明なケースと煙草を収納する透明な収納トレーとからなり、収納トレーをケース内に前後方向にスライド自在に嵌め込み、且つ該収納トレーの内部に、前後方向にスライド自在とし且つばね力をもって前方に移動性向が附与された押圧板を備え、該押圧板をもって収納トレー内に整列された個々の煙草を前方に押し出すようにしてなる陳列具を用いて行われることが多くなっている。
【０００３】
しかし、斯かる従来の陳列具は、その外観の形態において単に四角い箱形をしているに過ぎず、このため、陳列棚の上に載置したときに、単なる容器にしか見えないものである。また、内部の煙草を取り出すときには、必ず正面側に立って取り出さなければならない。
【考案の開示】
【考案が解決しようとする課題】
【０００４】
本考案は上記の点に鑑みなされたものであって、陳列棚の上に載置したときに、デザイン的に従来の陳列具からは考えられない水平方向回転自在な形態をもって客の目を惹き、商品のピーアール効果の向上と店内の雰囲気の向上に資すると共に、店内に入った客が水平方向に回して自分の取り出し易い位置に収納トレーの商品取り出し口を向けることができるようになした商品陳列具を提供せんとするものである。
【課題を解決するための手段】
【０００５】
而して、本考案の要旨とするところは、側面の開口部に透明な蓋を開閉自在に取り付けた、平面四角形の箱状のケースと、前記ケース内に複数段になるように且つ上段にあるものと下段にあるものとの向きが直交するようにして嵌め込まれた、展示品を収納する複数の透明な収納トレーとからなり、且つ夫々の収納トレーの内部は、複数の列に商品を並べて収納することができるようになされていると共に、夫々の列に前後方向にスライド自在とし且つばね力をもって前方に移動性向が附与された押圧板を備え、該押圧板をもって収納トレー内に整列された個々の商品を後方から前方に押し出すようにしてなる陳列体と、該陳列体を水平方向回転自在に保持する手段とからなる商品陳列具にある。
【０００６】
また、上記構成において、陳列体における収納トレーとして、長さ方向の中央部で分断し、収納した商品を押圧板をもって反対方向に押し出すようになした収納トレーとしてもよい。この場合には、どの面からでも商品を取り出すことができる。したがって、陳列体を回す角度が少なくて済む。
【０００７】
また、上記構成において、陳列体における収納トレーとして、側部に所定個数の商品を一組として包装したものを陳列するための受け枠を一体的に張り出した収納トレーとしてもよい。この場合には、商品をバラ売りすると同時に包装した一カートン、一ダース分の商品も一緒に展示販売することができる。
【考案の効果】
【０００８】
本考案によれば、陳列棚の上に載置したときに、デザイン的に従来の陳列具からは考えられない水平方向回転自在な形態をもって客の目を惹き、商品のピーアール効果の向上と店内の雰囲気の向上に資すると共に、店内に入った客が水平方向に回して自分の取り出し易い位置に収納トレーの商品取り出し口を向けることができるものである。
【０００９】
また、陳列体における収納トレーとして、長さ方向の中央部で分断し、収納した商品を押圧板をもって反対方向に押し出すようになした収納トレーとした場合には、どの面からでも商品を取り出すことができるものである。したがって、陳列体を回す角度が少なくて済むものである。
【００１０】
また、陳列体における収納トレーとして、側部に所定個数の商品を一組として包装したものを陳列するための受け枠を一体的に張り出した収納トレーとした場合には、商品をバラ売りすると同時に包装した一カートン、一ダース分の商品も一緒に展示販売することができるものである。
【考案を実施するための最良の形態】
【００１１】
本考案を実施するための最良の形態は、側面の開口部に透明な蓋を開閉自在に取り付けた、平面四角形の箱状のケースと、前記ケース内に複数段になるように且つ上段にあるものと下段にあるものとの向きが直交するようにして嵌め込まれた、展示品を収納する複数の透明な収納トレーとからなり、且つ夫々の収納トレーの内部は、複数の列に商品を並べて収納することができるようになされていると共に、夫々の列に前後方向にスライド自在とし且つばね力をもって前方に移動性向が附与された押圧板を備え、該押圧板をもって収納トレー内に整列された個々の商品を後方から前方に押し出すようにしてなる陳列体と、該陳列体を水平方向回転自在に保持する手段とをもって構成した商品陳列具にある。
【実施例】
【００１２】
以下、本考案の実施例について説明する。
図１は蓋を一部開いた本考案の使用状態の斜視図、図２は本考案の中央横断平面図、図３は本考案を構成する陳列体におけるケースの中央縦断正面図、図４は同ケースの中央横断平面図、図５は本考案を構成する陳列体における収納トレーの正面図、図６は同収納トレーの平面図、図７は同収納トレーの中央縦断正面図、図８は同収納トレーの中央縦断側面図である。
【００１３】
図中、１は商品陳列具であり、後記陳列体と、該陳列体を水平方向回転自在に保持する手段とからなるものである。
【００１４】
２は陳列体であり、後記ケースと、該ケース内に嵌め込まれる複数の収納トレーとからなるものである。３は平面四角形の箱状のケースであり、本実施例では四角形の底板４の四隅に所要の高さの支柱５、５、５、５を立設し、該支柱５、５の高さ方向の所要箇所に後記収納ケースの高さに合わせた間隔で複数（本実施例では６枚）の棚板６、６、６・・・を取り付けて形成している。且つまた、該ケース３の側面の開口部には樹脂、ガラス等からなる透明な蓋７、７、７、７を開閉自在に取り付けている。
【００１５】
８、８、８・・・は前記ケース２における各棚板６、６、６・・・の間に嵌め込まれて止着される樹脂等からなる透明な収納トレーである。また、該複数の収納トレー８、８、８・・・は、前記ケース２の各棚板６、６、６・・・の間に嵌め込まれるとき、上段にあるものと下段にあるものとで一段宛交互に向きを違えている。また、夫々の収納トレー８、８、８・・・は、本実施例ではその長さ方向の中央部において仕切板９をもって分断している。そしてまた、該仕切板９をもって分断された夫々の収納部内は、複数の列に商品を並べて収納することができるようになされていると共に、夫々の列に前後方向にスライド自在とし且つばね１０のばね力をもって前方に移動性向か附与された押圧板１１、１１、１１・・・を備え、該押圧板１１、１１、１１・・・をもって収納部内に整列された個々の商品を後方から前方に押し出すようになしている。
【００１６】
また、該収納トレー８、８、８・・・は、本実施例では、左右の側部に、一カートン等の所定個数の商品を一組として包装したものを陳列するための受け枠１２、１２を一体的に張り出させている。
【００１７】
１３は前記陳列体２を水平方向回転自在に保持する手段である。また、該手段１３は、本実施例では、台板１４と該台板１４の中心部に水平方向回転自在に支承した回転軸１５とをもって構成し、該回転軸１５を前記陳列体２の底板１４の下面中心部に固着している。尚、該手段１３は、本実施例に限らず、公知の適宜の手段を採用すればよい。その他、図中１６は展示品である個々の商品、１７は展示品である一カートン等の所定個数の商品を一組として包装したものを示す。
【図面の簡単な説明】
【００１８】
【図１】蓋を一部開いた本考案の使用状態の斜視図である。
【図２】本考案の中央縦断平面図である。
【図３】本考案を構成する陳列体におけるケースの中央縦断正面図である。
【図４】ケースの中央横断平面図である。
【図５】本考案を構成する陳列体における収納トレーの正面図である。
【図６】収納トレーの平面図である。
【図７】収納トレーの中央縦断正面図である。
【図８】収納トレーの中央縦断側面図である。
【符号の説明】
【００１９】
１  商品陳列具
２  陳列体
３  ケース
６、６  棚板
７、７  蓋
８、８  収納トレー
９  仕切板
１０  ばね
１１、１１  押圧板
１２、１２  受け枠
１３  陳列体の保持手段
【図１】
0003125280.tif 000003
【図２】
0003125280.tif 000004
【図３】
0003125280.tif 000005
【図４】
0003125280.tif 000006
【図５】
0003125280.tif 000007
【図６】
0003125280.tif 000008
【図７】
0003125280.tif 000009
【図８】
0003125280.tif 000010